(57)【要約】【課題】十分な電圧設定マージンを確保しつつ安定した書込み放電を発生させて、表示品質の高い画像を実現すること。【解決手段】選択初期化動作は、維持電極を陰極、走査電極を陽極とする１回目の放電を発生させ、その次に走査電極を陰極、データ電極を陽極とする１回目の放電を、その次に維持電極を陰極、走査電極を陽極とする放電時の電圧保持期間をサブフィールド毎に変化させる２回目の放電を、その次に走査電極を陰極、データ電極を陽極とする２回目の放電を、その次に走査電極を陰極、データ電極を陽極とする３回目の放電を発生させる。【選択図】図３
2011095641.tif 000002
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記初期化期間では、直前のサブフィールドの動作にかかわらず初期化放電を発生させる強制初期化動作と、直前の書込み期間で書込み放電を発生した放電セルのみで選択的に初期化放電を発生させる選択初期化動作とのいずれかを行い、
前記選択初期化動作は、前記維持電極を陰極とし前記走査電極を陽極とする１回目の放電を発生させ、その次に前記走査電極を陰極とし前記データ電極を陽極とする１回目の放電を発生させ、その次に、前記維持電極を陰極とし前記走査電極を陽極とする放電時の電圧保持期間をサブフィールド毎に変化させる２回目の放電を発生させ、その次に前記走査電極を陰極とし前記データ電極を陽極とする２回目の放電を発生させ、その次に前記走査電極を陰極とし前記データ電極を陽極とする３回目の放電を発生させることを特徴とするプラズマディスプレイパネルの駆動方法。
【請求項２】
前記選択初期化動作は、前記維持電極に第１の電圧を印加するとともに、前記走査電極に上り傾斜波形電圧を印加し、その後、前記走査電極に下り傾斜波形電圧を印加し、その後、電圧保持期間をサブフィールド毎に変化させる前記走査電極に正の矩形状電圧を印加し、その後、前記走査電極に下り傾斜波形電圧を印加し、その後、前記維持電極に第１の電圧よりも高い第２の電圧を印加するとともに前記走査電極に下り傾斜波形電圧を印加して行うことを特徴とする請求項１に記載のプラズマディスプレイパネルの駆動方法。
【請求項３】
前記２回目の前記維持電極を陰極とし前記走査電極を陽極として放電時の電圧保持期間は、後半サブフィールドの方が長い事を特徴とする請求項１に記載のプラズマディスプレイパネルの駆動方法。
【発明の詳細な説明】
【技術分野】
【０００１】
本発明は、交流面放電型のプラズマディスプレイパネルの駆動方法およびプラズマディスプレイ装置に関する。
【背景技術】
【０００２】
プラズマディスプレイパネル（以下、「パネル」と略記する）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間と書込み期間と維持期間とを有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作を行う。初期化動作は初期化放電を発生し、続く書込み動作に必要な壁電荷を形成する動作である。初期化動作には、直前のサブフィールドの動作にかかわらず初期化放電を発生させる強制初期化動作と、直前のサブフィールドで書込み放電を行った放電セルのみで初期化放電を発生させる選択初期化動作とがある。書込み動作は表示する画像に応じて放電セルで選択的に書込み放電を発生し壁電荷を形成する動作であり、維持動作は表示電極対に交互に維持パルスを印加して維持放電を発生させ、対応する放電セルの蛍光体層を発光させる動作である。
【０００４】
サブフィールド法の中でも最も低い階調である黒を表示する際の輝度（以下、「黒輝度」と略記する）を下げ、階調表示に関係しない発光を極力減らしてコントラストを向上させる駆動方法が検討されている。例えば（特許文献１）には、強制初期化動作を行うサブフィールドを１フィールドに１つとし、他のサブフィールドでは選択初期化動作を行うサブフィールドで構成する駆動方法が開示されている。
【０００５】
また（特許文献２）には、維持期間の最後において走査電極に上り傾斜波形電圧を印加し、その次の初期化期間において走査電極に下り傾斜波形電圧を印加して選択初期化動作を行う駆動方法が開示されている。
【先行技術文献】
【特許文献】
【０００６】
【特許文献１】特開２０００−２４２２２４号公報
【特許文献２】特開２００８−２５６７７４号公報
【発明の概要】
【発明が解決しようとする課題】
【０００７】
（特許文献２）に記載されているように、駆動電圧波形に傾斜波形電圧を用いるとリンギング等の波形ひずみが抑えられるので、各放電セルの各電極に駆動電圧波形を精度よく印加することができ、安定した書込み放電を発生させることができる。しかしながら、傾斜波形電圧を用いた放電は微弱な放電であり、また選択初期化を行うために各電極に印加できる電圧範囲は限られるので、それ以前の放電セルの壁電荷の履歴を完全に消去するだけの放電を発生させることが難しいという課題があった。そのために直前のサブフィールドで書込み放電を行った放電セルと書込み放電を行なわなかった放電セルとの駆動条件が異なり、その結果、駆動電圧波形の電圧設定マージンが狭くなるという課題があった。
【０００８】
本発明は上記課題に鑑みなされたものであり、十分な電圧設定マージンを確保しつつ安定した書込み放電を発生させて、表示品質の高い画像を表示することが可能なパネルの駆動方法およびプラズマディスプレイ装置を提供することを目的とする。
【課題を解決するための手段】
【０００９】
上記目的を達成するために本発明は、初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、初期化期間では、直前のサブフィールドの動作にかかわらず初期化放電を発生させる強制初期化動作と、直前の書込み期間で書込み放電を発生した放電セルのみで選択的に初期化放電を発生させる選択初期化動作とのいずれかを行い、選択初期化動作は維持電極を陰極とし走査電極を陽極とする１回目の放電を発生させ、その次に走査電極を陰極とし前記データ電極を陽極とする１回目の放電を発生させ、その次に、維持電極を陰極とし走査電極を陽極とする放電時の電圧保持期間をサブフィールド毎に変化させる２回目の放電を発生させ、その次に走査電極を陰極とし前記データ電極を陽極とする２回目の放電を発生させ、その次に走査電極を陰極とし前記データ電極を陽極とする３回目の放電を発生させることを特徴とするプラズマディスプレイパネルの駆動方法である。
【００１０】
また選択初期化動作は、維持電極に第１の電圧を印加するとともに、走査電極に上り傾斜波形電圧を印加し、その後走査電極に下り傾斜波形電圧を印加し、その後電圧保持期間をサブフィールド毎に変化させる走査電極に正の矩形状電圧を印加し、その後走査電極に下り傾斜波形電圧を印加し、その後維持電極に第１の電圧よりも高い第２の電圧を印加するとともに走査電極に下り傾斜波形電圧を印加するものである。
【００１１】
またこの電圧保持期間は、維持パルスを多く持つ後半のサブフィールドの方が長い事を特徴とするものである。
【発明の効果】
【００１２】
本発明によれば、十分な電圧設定マージンを確保しつつ安定した書込み放電を発生させて、表示品質の高い画像を表示することが可能なパネルの駆動方法およびプラズマディスプレイ装置を提供することができる。
【図面の簡単な説明】
【００１３】
【図１】本発明の実施の形態におけるプラズマディスプレイ装置に用いるパネルの分解斜視図
【図２】同プラズマディスプレイ装置に用いるパネルの電極配列図
【図３】同プラズマディスプレイ装置の各電極に印加する駆動電圧波形図
【図４】同プラズマディスプレイ装置の各電極に印加する駆動電圧波形の選択消去のクランプ期間の制御例を表す図
【図５】本発明の実施の形態におけるプラズマディスプレイ装置の回路ブロック図
【図６】同プラズマディスプレイ装置の走査電極駆動回路の回路図
【図７】同プラズマディスプレイ装置の維持電極駆動回路の回路図
【発明を実施するための形態】
【００１４】
以下、本発明の実施の形態におけるプラズマディスプレイ装置について、図面を用いて説明する。
【００１５】
（実施の形態１）
図１は、本発明の実施の形態におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１６】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１７】
なお、パネル１０の構造は上述したものに限られるわけではなく、例えばストライプ状の隔壁を備えたものであってもよい。
【００１８】
図２は、本発明の実施の形態におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１９】
次に、パネル１０を駆動するための駆動電圧波形とその動作について説明する。プラズマディスプレイ装置は、サブフィールド法、すなわち１フィールド（Ｆ）を複数のサブフィールドに分割し、サブフィールド（ＳＦ）毎に各放電セルの発光・非発光を制御することによって画像を表示する。
【００２０】
それぞれのサブフィールド（ＳＦ）は、初期化期間、書込み期間、維持期間を有する。初期化期間では、それ以前の放電セルの壁電荷の履歴を消去し、続く書込み放電に必要な壁電荷を各電極上に形成する初期化動作を行う。書込み期間では、発光させるべき放電セルで選択的に書込み放電を発生し、壁電荷を形成する書込み動作を行う。維持期間では、サブフィールド毎にあらかじめ決められた輝度重みに応じた数の維持パルスを表示電極対に交互に印加して、書込み放電を発生した放電セルで維持放電を発生させて発光させる維持動作を行う。なお、発光輝度を低く抑えるために維持期間を省略してもよい。
【００２１】
サブフィールド構成としては、例えば、１フィールドを１０のサブフィールド（ＳＦ１、ＳＦ２、・・・、ＳＦ１０）に分割し、各サブフィールドはそれぞれ、（１、２、３、６、１１、１８、３０、４４、６０、８０）の輝度重みを持つものとする。そしてＳＦ１の初期化期間で強制初期化動作を行い、ＳＦ２〜ＳＦ１０の初期化期間で選択初期化動作を行う。しかし本発明は上記のサブフィールド数、輝度重み等のサブフィールド構成に限定されるものではない。
【００２２】
図３は、本発明の実施の形態におけるプラズマディスプレイ装置の各電極に印加する駆動電圧波形図である。
【００２３】
ＳＦ１の初期化期間では、まずデータ電極Ｄ１〜Ｄｍに電圧０（Ｖ）を印加し、維持電極ＳＵ１〜ＳＵｎにも電圧０（Ｖ）を印加する。そして走査電極ＳＣ１〜ＳＣｎに、維持電極ＳＵ１〜ＳＵｎに対する放電開始電圧以下の電圧Ｖｉ１から放電開始電圧を超える電圧Ｖｉ２に向かって緩やかに上昇する上り傾斜波形電圧を印加する。すると走査電極ＳＣ１〜ＳＣｎと維持電極ＳＵ１〜ＳＵｎとの間、走査電極ＳＣ１〜ＳＣｎとデータ電極Ｄ１〜Ｄｍとの間でそれぞれ微弱な初期化放電が起こり、走査電極ＳＣ１〜ＳＣｎ上に負の壁電圧が蓄積されるとともにデータ電極Ｄ１〜Ｄｍ上および維持電極ＳＵ１〜ＳＵｎ上に正の壁電圧が蓄積される。ここで電極上の壁電圧とは、電極を覆う誘電体層上、保護層上、蛍光体層上等に蓄積された壁電荷により生じる電圧を表す。
【００２４】
次に、維持電極ＳＵ１〜ＳＵｎに電圧Ｖｅを印加し、走査電極ＳＣ１〜ＳＣｎに電圧Ｖｉ３から電圧Ｖｉ４に向かって緩やかに下降する下り傾斜波形電圧を印加する。すると再び微弱な初期化放電が発生し、走査電極ＳＣ１〜ＳＣｎ上および維持電極ＳＵ１〜ＳＵｎ上の壁電圧が弱められる。またデータ電極Ｄ１〜Ｄｍの壁電圧の過剰な部分が放電され、書込み動作に適した壁電圧に調整される。このようにして、全ての放電セルで初期化放電が発生する強制初期化動作が完了する。
【００２５】
ＳＦ１の書込み期間では、データ電極Ｄ１〜Ｄｍに電圧０（Ｖ）を、維持電極ＳＵ１〜ＳＵｎには電圧Ｖｅを引き続き印加し、走査電極ＳＣ１〜ＳＣｎに電圧Ｖｃを印加する。
【００２６】
次に、１行目の走査電極ＳＣ１に電圧Ｖａの走査パルスを印加するとともに発光すべき放電セルに対応するデータ電極Ｄｋに電圧Ｖｄの書込みパルスを印加する。するとデータ電極Ｄｋ上と走査電極ＳＣ１上との交差部の電圧差は、外部印加電圧の差（Ｖｄ−Ｖａ）にデータ電極Ｄｋ上の正の壁電圧が加算され放電開始電圧を超える。そしてデータ電極Ｄｋと走査電極ＳＣ１との間で放電が発生し、これが走査電極ＳＣ１と維持電極ＳＵ１との間の放電に伸展して書込み放電が起こる。そして走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００２７】
次に、２行目の走査電極ＳＣ２に走査パルスを印加するとともに、発光すべき放電セルに対応するデータ電極Ｄｋに書込みパルスを印加する。するとデータ電極Ｄｋと走査電極ＳＣ２との間および維持電極ＳＵ２と走査電極ＳＣ２との間で書込み放電が起こり、走査電極ＳＣ２上に正の壁電圧が蓄積され、維持電極ＳＵ２上に負の壁電圧が蓄積され、データ電極Ｄｋ上にも負の壁電圧が蓄積される。このようにして、２行目に発光させるべき放電セルで書込み放電を起こして各電極上に壁電圧を蓄積する書込み動作が行われる。一方、書込みパルスを印加しなかったデータ電極と走査電極ＳＣ２との交差部の電圧は放電開始電圧を超えないので、書込み放電は発生しない。
【００２８】
以下、ｎ行目の走査電極ＳＣｎに至るまで同様の書込み動作を行い、続く維持放電に必要な壁電荷を形成する。
【００２９】
ＳＦ１の維持期間では、維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差が電圧Ｖｓに走査電極ＳＣｉ上の壁電圧と維持電極ＳＵｉ上の壁電圧との差を加算したものとなり走査電極ＳＣｉと維持電極ＳＵｉとの間の放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００３０】
続いて、走査電極ＳＣ１〜ＳＣｎに電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。
【００３１】
以降同様に、走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。
【００３２】
続くＳＦ２の初期化期間では、維持電極ＳＵ１〜ＳＵｎに第１の電圧である電圧０（Ｖ）を印加するとともに走査電極ＳＣ１〜ＳＣｎには電圧Ｖｒまで緩やかに上昇する上り傾斜波形電圧を印加する。なお本実施の形態においては電圧Ｖｒは電圧Ｖｓと同じ電圧に設定されている。するとＳＦ１の維持期間で維持放電を行った放電セル（維持期間がない場合は書込み放電を行った放電セル）では走査電極ＳＣｉを陽極とし維持電極ＳＵｉを陰極とする１回目の微弱な放電が発生する。そして走査電極ＳＣｉ上および維持電極ＳＵｉ上の壁電圧が弱められる。
【００３３】
次に、維持電極ＳＵ１〜ＳＵｎに電圧０（Ｖ）を印加したまま、走査電極ＳＣ１〜ＳＣｎには電圧０（Ｖ）から電圧Ｖｉ４に向かって緩やかに下降する下り傾斜波形電圧を印加する。すると微弱な放電を発生した放電セルで再び微弱な放電が発生する。このときの微弱放電は走査電極を陰極としデータ電極を陽極とする１回目の放電である。なお電圧Ｖｉ４は、走査パルスの電圧Ｖａと等しいか電圧Ｖａよりわずかに高い電圧に設定されている。
【００３４】
その後、走査電極ＳＣ１〜ＳＣｎに電圧Ｖｒの矩形電圧を時間Ｔｅの間印加する。すると微弱な放電を発生した放電セルで３度目の放電が発生する。このときの放電は走査電極を陽極とし維持電極を陰極とする２回目の放電であり、弱い放電である。
【００３５】
その後、維持電極ＳＵ１〜ＳＵｎに電圧０（Ｖ）を印加したまま、走査電極ＳＣ１〜ＳＣｎには電圧０（Ｖ）から電圧Ｖｉ４に向かって緩やかに下降する下り傾斜波形電圧を印加する。すると微弱な消去放電を発生した放電セルで再び微弱な放電が発生する。このときの微弱放電は走査電極を陰極としデータ電極を陽極とする２回目の放電である。なお電圧Ｖｉ４は、走査パルスの電圧Ｖａと等しいか電圧Ｖａよりわずかに高い電圧に設定されている。
【００３６】
さらにその後、維持電極ＳＵ１〜ＳＵｎに第１の電圧（０（Ｖ））よりも高い第２の電圧である電圧Ｖｅを印加し、走査電極ＳＣ１〜ＳＣｎには電圧０（Ｖ）から電圧Ｖｉ４に向かって緩やかに下降する下り傾斜波形電圧を印加する。すると放電を発生した放電セルで５度目の放電が発生する。このときの放電は走査電極を陰極としデータ電極を陽極とする３回目の放電である。そしてこの微弱放電により走査電極ＳＣｉ上、維持電極ＳＵｉ上の壁電圧、およびデータ電極Ｄｋ上の壁電圧の過剰な部分が放電され、書込み動作に適した壁電圧に調整される。このようにして初期化動作が完了する。
【００３７】
続くＳＦ２の書込み期間の動作はＳＦ１の書込み期間の動作と同じであり、ＳＦ２の維持期間の動作は、維持パルス数を除きＳＦ１の維持期間の動作と同じである。またＳＦ３〜ＳＦ１０における動作は、維持パルス数を除きＳＦ２の動作と同様である。
【００３８】
なお、本実施の形態においては、電圧Ｖｉ１は２００（Ｖ）、電圧Ｖｉ２は４００（Ｖ）、電圧Ｖｉ３は２００（Ｖ）、電圧Ｖｉ４は−１８０（Ｖ）、電圧Ｖｃは２０（Ｖ）、電圧Ｖａは−２００（Ｖ）、電圧Ｖｓは２００（Ｖ）、電圧Ｖｒは２００（Ｖ）、電圧Ｖｅは１５０（Ｖ）、電圧Ｖｄは６０（Ｖ）である。また時間Ｔｅは１μｓ〜５００μｓの間でサブフィールド毎の調整値である。時間Ｔｅの制御例は後ほど説明を行う。しかしこれらの電圧値は上述した値に限定されるものではなく、パネルの放電特性やプラズマディスプレイ装置の仕様にもとづき最適に設定することが望ましい。
【００３９】
このように本実施の形態においては、初期化期間において、維持電極を陰極とし走査電極を陽極とする１回目の放電を発生させ、その後、走査電極を陰極としデータ電極を陽極とする１回目の放電を発生させ、その後、維持電極を陰極とし走査電極を陽極とする２回目の放電を発生させ、その後、走査電極を陰極としデータ電極を陽極とする２回目の放電を発生させ、その後、走査電極を陰極としデータ電極を陽極とする３回目の放電を発生させている。そしてこれらの放電を弱い放電としてそれにともなう発光を抑えるために、維持電極に第１の電圧を印加するとともに走査電極に上り傾斜波形電圧を印加し、その後、走査電極に下り傾斜波形電圧を印加し、その後、走査電極に正の矩形状電圧を印加し、その後、走査電極に下り傾斜波形電圧を印加し、その後、維持電極に第１の電圧よりも高い第２の電圧を印加するとともに走査電極に下り傾斜波形電圧を印加している。
【００４０】
このように、強い放電を発生させなくても、微弱な放電を複数回繰り返し発生させることによって各電極上に十分な壁電圧を蓄積することができ、続く書込み放電を安定して発生させることができる。
【００４１】
図４は、サブフィールドＳＦ２の初期化期間に走査電極ＳＣ１〜ＳＣｎに印加する矩形電圧の印加時間、すなわちパルス幅である時間Ｔｅに関する表であり、図４（ａ）は、点灯に必要な電圧Ｖａと時間Ｔｅの関係を、図４（ｂ）は、各サブフィールドの維持期間中の維持パルス数と点灯に必要な電圧Ｖａの関係を、図４（ｃ）はサブフィールド毎の時間Ｔｅの設定例を示した表をそれぞれ示している。
【００４２】
図４（ａ）に示すように、時間Ｔｅを広げれば広げるほど、点灯に必要な電圧Ｖａは下げる事が可能になることがわかる。
【００４３】
また、図４（ｂ）に示すように、維持期間の維持パルス数が多ければ多いほど、Ｖａは高くなる事がわかる。
【００４４】
図４（ｃ）に、図４（ａ）と図４（ｂ）の結果を踏まえた時間Ｔｅの駆動例を示している。本実施の形態のプラズマディスプレイの駆動方法においては、複数のサブフィールドのうち、数値が小さいほう、すなわち前半の１ＳＦの維持パルス数より後半サブフィールドになる程、維持パルス数が多くなる設定にされている。ここで、図４（ｂ）より、前半サブフィールド、すなわち少ない維持パルス数を持つサブフィールドの場合は、点灯に必要な電圧Ｖａは低くてよい傾向にあるので、図４（ａ）の関係より点灯に必要な電圧Ｖａは、矩形パルスの時間Ｔｅが短くても少ない維持パルス数の場合は十分である。また、後半サブフィールド、すなわち多い維持パルス数を持つサブフィールドの場合は、点灯に必要な電圧Ｖａは高い傾向にあるので時間Ｔｅはある程度長い時間を確保しておく必要がある。そこで前半サブフィールドの矩形パルスの時間Ｔｅは短く、後半サブフィールドのＴｅは長く設定して点灯に必要な電圧Ｖａを下げている。
【００４５】
このように、本発明の実施の形態におけるパネルの駆動方法によれば、全部のサブフィールドにおいて矩形電圧の印加時間である時間Ｔｅを延伸する必要はなくサブフィールドの維持パルス数を考慮して時間Ｔｅを調整することで点灯に必要な電圧Ｖａを下げる事が出来る。
【００４６】
次に、パネル１０を駆動するための駆動回路について説明する。図５は、本発明の実施の形態におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００４７】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。タイミング発生回路４５は垂直および水平同期信号をもとにして各回路ブロックの動作を制御する各種のタイミング信号を発生し、それぞれの回路ブロックへ供給する。走査電極駆動回路４３は、タイミング信号にもとづいて上述した駆動電圧波形を発生し各走査電極ＳＣ１〜ＳＣｎのそれぞれに印加する。維持電極駆動回路４４は、タイミング信号にもとづいて上述した駆動電圧波形を発生し維持電極ＳＵ１〜ＳＵｎに印加する。
【００４８】
図６は、本発明の実施の形態におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００４９】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣｎに印加する維持パルスを発生する。電力回収回路５１は走査電極ＳＣ１〜ＳＣｎを駆動するときの電力を回収して再利用する。スイッチング素子Ｑ５５は走査電極ＳＣ１〜ＳＣｎを電圧Ｖｓにクランプし、スイッチング素子Ｑ５６は走査電極ＳＣ１〜ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００５０】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２を有する。そして電圧Ｖａの電源、および走査パルス発生回路７０の基準電位（図６に示した節点Ａの電位）に重畳された電圧（Ｖｃ−Ｖａ）の電源Ｅ７１をもとにして走査パルスを発生し、走査電極ＳＣ１〜ＳＣｎのそれぞれに、図３に示したタイミングで走査パルスを順次印加する。なお、走査パルス発生回路７０は、維持動作時には維持パルス発生回路５０の出力電圧をそのまま出力する。すなわち、節点Ａの電圧を走査電極ＳＣ１〜ＳＣｎへ出力する。
【００５１】
傾斜波形電圧発生回路６０は、ミラー積分回路６１、ミラー積分回路６２、ミラー積分回路６３を備え、図３に示した傾斜波形電圧を発生させる。ミラー積分回路６１は、トランジスタＱ６１とコンデンサＣ６１と抵抗Ｒ６１とを有し、入力端子ＩＮ６１に一定の電圧を印加することにより、電圧Ｖｉ２に向かって緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、入力端子ＩＮ６２に一定の電圧を印加することにより、電圧Ｖｒに向かって緩やかに上昇する上り傾斜波形電圧を発生する。ミラー積分回路６３は、トランジスタＱ６３とコンデンサＣ６３と抵抗Ｒ６３とを有し、入力端子ＩＮ６３に一定の電圧を印加することにより、電圧Ｖｉ４に向かって緩やかに低下する下り傾斜波形電圧を発生する。なおスイッチング素子Ｑ６９も分離スイッチであり、走査電極駆動回路４３を構成するスイッチング素子の寄生ダイオード等を介して電流が逆流するのを防止するために設けられている。
【００５２】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００５３】
図７は、本発明の実施の形態におけるプラズマディスプレイ装置４０の維持電極駆動回路４４の回路図である。維持電極駆動回路４４は、維持パルス発生回路８０と、一定電圧発生回路８５とを備えている。
【００５４】
維持パルス発生回路８０は、電力回収回路８１と、スイッチング素子Ｑ８３と、スイッチング素子Ｑ８４とを有し、維持電極ＳＵ１〜ＳＵｎに印加する維持パルスを発生する。電力回収回路８１は維持電極ＳＵ１〜ＳＵｎを駆動するときの電力を回収して再利用する。スイッチング素子Ｑ８３は維持電極ＳＵ１〜ＳＵｎを電圧Ｖｓにクランプし、スイッチング素子Ｑ８４は維持電極ＳＵ１〜ＳＵｎを電圧０（Ｖ）にクランプする。
【００５５】
一定電圧発生回路８５は、スイッチング素子Ｑ８６、スイッチング素子Ｑ８７を有し、維持電極ＳＵ１〜ＳＵｎに電圧Ｖｅを印加する。
【００５６】
なお、これらのスイッチング素子も、ＭＯＳＦＥＴやＩＧＢＴ等の一般に知られた素子を用いて構成することができる。またこれらのスイッチング素子も、タイミング発生回路４５で発生したそれぞれのスイッチング素子に対応するタイミング信号により制御される。
【００５７】
図６に示した走査電極駆動回路４３および図７に示した維持電極駆動回路４４を用いて、ＳＦ２の初期化期間において走査電極ＳＣ１〜ＳＣｎおよび維持電極ＳＵ１〜ＳＵｎに印加する駆動電圧波形を発生する方法について説明する。なおここでも電圧Ｖｒは電圧Ｖｓと同じ電圧に設定されているものとする。
【００５８】
維持電極ＳＵ１〜ＳＵｎに電圧０（Ｖ）を印加するには、スイッチング素子Ｑ８４をオンにする。走査電極ＳＣ１〜ＳＣｎに電圧Ｖｒまで緩やかに上昇する上り傾斜波形電圧を印加するには、スイッチング素子Ｑ７１Ｌ１〜Ｑ７１Ｌｎ、スイッチング素子Ｑ６９をオンにし、入力端子ＩＮ６２に電圧を印加してミラー積分回路６２を動作させる。
【００５９】
次に、走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、スイッチング素子Ｑ６９をオフにし、入力端子ＩＮ６３に電圧を印加してミラー積分回路６３を動作させる。
【００６０】
その後、走査電極ＳＣ１〜ＳＣｎに電圧Ｖｒの矩形電圧を印加するには、ミラー積分回路６３のトランジスタＱ６３をオフにし、スイッチング素子Ｑ６９、スイッチング素子Ｑ５９、スイッチング素子Ｑ５５をオンにする。
【００６１】
その後、走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、スイッチング素子Ｑ６９をオフにし、入力端子ＩＮ６３に電圧を印加してミラー積分回路６３を動作させる。
【００６２】
さらにその後、維持電極ＳＵ１〜ＳＵｎに電圧Ｖｅを印加するには、スイッチング素子Ｑ８４をオフにし、スイッチング素子Ｑ８６、スイッチング素子Ｑ８７をオンにする。走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、Ｑ６９をオフにし、入力端子ＩＮ６３に電圧を印加してミラー積分回路６３を動作させる。
【００６３】
なお走査電極ＳＣ１〜ＳＣｎの電圧が電圧Ｖｉ４に到達する直前に維持電極駆動回路４４のスイッチング素子Ｑ８６、スイッチング素子Ｑ８７をオフにして、維持電極ＳＵ１〜ＳＵｎをハイインピーダンス状態としてもよい。このように駆動することにより、続く書込み動作をさらに安定して発生させることができる。図３には、このような駆動電圧波形を示した。
【００６４】
このようにして、図３に示したパネルの駆動電圧波形を発生させることができる。しかし図５〜図７に示した駆動回路は一例であって、本発明がこれらの駆動回路の回路構成に限定されるものではない。
【００６５】
なお、実施の形態において示した具体的な数値等は単に一例を示したに過ぎず、パネルの特性やプラズマディスプレイ装置の仕様等にあわせて最適に設定することが望ましい。
【産業上の利用可能性】
【００６６】
本発明は、十分な電圧設定マージンを確保しつつ安定した書込み放電を発生させて、表示品質の高い画像を表示することが可能なパネルの駆動方法およびプラズマディスプレイ装置として有用である。
【符号の説明】
【００６７】
１０  パネル
２２  走査電極
２３  維持電極
２４  表示電極対
３２  データ電極
４０  プラズマディスプレイ装置
４１  画像信号処理回路
４２  データ電極駆動回路
４３  走査電極駆動回路
４４  維持電極駆動回路
４５  タイミング発生回路
５０、８０  維持パルス発生回路
５１、８１  電力回収回路
６０  傾斜波形電圧発生回路
６１、６３  ミラー積分回路
７０  走査パルス発生回路
８５  一定電圧発生回路
【図１】
2011095641.tif 000003
【図２】
2011095641.tif 000004
【図３】
2011095641.tif 000005
【図４】
2011095641.tif 000006
【図５】
2011095641.tif 000007
【図６】
2011095641.tif 000008
【図７】
2011095641.tif 000009